(57)【要約】【課題】洪水が堤防を越す越水による堤体の侵食に対して、これを低減・抑制するための耐越水シートの提供。【解決手段】堤体（１）の表面に法尻側に横材（２）をブラインド状に傾斜させて形成したシート（５）を特徴とする。【選択図】図１
2017141657.tif 000002
【特許請求の範囲】
【請求項１】
法面上に設置する可撓性を有する樹脂製のネット及び孔あきシート又はハニカムシートであって、施工・撤去及び緑化が可能なシートの横材の断面が、堤防の法尻方向へブラインド状に傾斜して形成され、ネット又はシートの下面の越流水を排除できる形状を特徴とする耐越水シート。
【請求項２】
請求項１の耐越水シート上面に法面緑化用の種子及び肥料を織り込ませた不織布を貼り合わせたシート。
【発明の詳細な説明】
【技術分野】
【０００１】  本発明は、施工と撤去及び緑化が可能であって堤防の川裏法面（１１）の洗掘または侵食を防止する耐越水シートに関する。
【背景技術】
【０００２】  河川堤防の越水は堤防決壊原因の約７割を占め、平成２７年９月１０日の関東・東北豪雨で１級河川の鬼怒川の決壊も、越水による堤防の川裏法面（１１）の侵食が原因であると国の調査委員会が結論付けたところである。堤防の安全性強化のためには、この越水侵食に対して抵抗力のある堤防を開発する必要がある。【０００３】  越水による川裏法面（１１）の侵食防止の対策工法としては、遮水シートやジオテキスタイルシート、不織布による吸い出し防止シートなどによる侵食防止手法が以前より開発されているものの、その技術は確立していないのが現状である。【０００４】  遮水シートは遮水性がある一方で通気性が無いことから、川表法面（１３）側からの洪水の水圧で堤体（１）内部から排出される空気や浸透水を排出できないので、遮水シートが揚圧力により浮き上がったり、浸透水が溜まって堤防が危険な状態になりやすいといった弱点があった。【０００５】  また、ジオテキスタイルシートや吸い出し防止シートはドレーン機能があるものの、シートの下面に越流水（３）が浸透すると掃流が発生し、シート（５）と堤体（３）間に水路（みずみち）を作って流下するので、シート（５）が掃流により振幅して不安定な状態となり、堤体（３）表面が侵食されやすくなるといった弱点がある。【０００６】  さらに、遮水シートやジオテキスタイルシートは、材料価格が高価であるという課題もあった。
【発明の概要】
【発明が解決しようとする課題】
【０００７】  本発明が解決しようとする課題は、前記した越流水（３）による堤防の川裏法面（１１）の侵食を抑制でき、施工費用が嵩まずに施工・撤去及び緑化が可能な耐越水シートを提供することにある。
【課題を解決するための手段】
【０００８】  本発明に係わる堤体（１）の侵食の低減・抑制方法は、堤体（１）の表面に網構造の場合は目穴の一辺が０．５ｍｍから１００ｍｍまでの任意の長さを有し、ブラインド状に法尻（１４）側へシート５の横材（２）を傾斜させて形成したシート（５）を広げて設置し、その上に芝（９）を植栽又は法面緑化用の種子及び肥料を織り込ませた不織布（１０）を貼り合わせたネットを特徴とするものである。また、ハニカムシート及び孔あきシートの場合は開口部の一辺が０．５ｍｍから１００ｍｍまでの任意の長さの開口部を有するシートとし、開口部の孔縁がブラインド状に堤防の法尻（１４）方向へ傾斜していることを特徴とする。【０００９】  シート（５）は熱可塑性樹脂を原料として製造され、具体例としては高密度ポリエチレン、ポリプロピレン、エチレン一酢酸ビニル共重合体などのオレフィン系樹脂、ポリ塩化ビニル、塩化ビニルを主成分とする共重合体などの塩化ビニル系樹脂、ポリ塩化ビニリデン系樹脂、ポリエステル系樹脂、アクリル系樹脂などが挙げられる。これらの合成樹脂による縦糸と横糸の交点を融着一体化して横糸をブラインド状に網目を形成したもの、または孔あきシート又はハニカムシートの場合は開口部の孔縁がブラインド状に堤防の法尻（１４）方向へ傾斜形成させたものとする。【００１０】  洪水（１２）が堤防を越え、越流水（３）となって堤防の川裏法面（１１）を流下し本発明の耐越水シートの上面と下面に進入するが、下面に流れ込んだ越流水（３）はブラインド状に形成されたシート（５）の横材（２）によりシートの上面に水流を変え排除水（４）となるので、耐越水シートの下面側では流水量が大幅に減少し侵食が抑制される。【００１１】  さらに越流水（３）が堤防の上から法尻（１４）側に流下する際に、シート（５）のブラインド状に形成された横材（２）に流水圧がかかるので、耐越水シートは堤体（１）側に押さえ付けられ密着する。このため隙間が生じにくくなり侵食防止効果が増加する。
【発明の効果】
【００１２】  本発明は、以上に記載したとおりであり、次のような特別に有利な効果を奏し、その産業上の利用価値は極めて大である。
１．本発明に係る施工・撤去及び緑化可能な耐越水シートは、単純構造なことから軽量であり、芝（９）などの植物の根毛（８）もシート体を通過できる通根性を有して堤体土に達し易く、堤防法面などを緑化するのに好適であり、かつ製造費を安く抑えることが可能である。
２．本発明に係る施工・撤去及び緑化可能な耐越水シートは、横材２がブラインド状に形成された構造であり、流下する越流水（３）が堤体（１）に直接当たらない形状のため堤体１の侵食を抑制できるとともに、シート（５）に植物の根毛（８）がからむことができるので植物の流失も防止でき、川裏法面（１１）を保護することができる。
３．本発明に係る施工・撤去及び緑化可能な耐越水シートは、通過した植物の根毛（８）によって保持され、越流水（３）にさらされても容易に剥がれることがなく、流失の危険が減少する。
４．本発明に係る施工・撤去及び緑化可能な耐越水シートは、ブラインド状に形成されるため越流水（３）の流下水圧により、堤体（１）に対して密着する機能を有することから、シート（３）が剥がれにくくなり侵食が抑制される。
５．本発明に係る施工・撤去及び緑化可能な耐越水シートは、ブラインド状に形成されるため、堤防内部の空気や浸透水を排除できるドレーン効果を有することから、揚圧力や滞留水によるシート（５）の流失を防止でき、かつ堤防の含水比の増加も抑えることができるので堤防の安全性が向上することができる。
【発明を実施するための形態】
【００１３】  本発明を図１及び図５、図６に基づいて説明する。図１は本発明の耐越水シートの断面である。シート（５）の横材（２）の構造がブラインド状になって堤防の法尻（１４）方向へ傾斜して形成されていることから、越流水（３）の殆どはシート（５）の上面を流下することになり、堤体（１）の表面の侵食が大幅に軽減される。一方、シート（５）の下面に越流水（３）が流れ込んでも、ブラインド状の横材（２）によりシート（５）の上面に排除水（４）となって排出され、堤体（１）の表面を流下する越流水（３）の水量が軽減されることから堤体（１）の侵食は大幅に抑制される。シート（５）の表面を越流水（３）が流下する際にシート（５）に対して堤体側に流水圧が働くので、シート（５）は堤体（１）に押さえつけられることになり、堤体（１）とシート（５）が密着されやすくなる。シート（５）が堤体（１）に密着すると越流水（３）はシート（５）の表面を流下することになり、堤体（１）の侵食はさらに軽減される。図５は本発明の耐越水シートの構造の一例となる孔あきマットを表す斜視図で、図６は本発明の耐越水シートを設置した堤防全体の断面図である。
【００１４】  図２は従来の侵食防止ネットの構成例の断面図である。従来の土木用のネットである程度は耐侵食性を保有しており、流速３ｍ／毎秒の水流に対して抵抗できる機能を有している。しかし、シート（５）を構成する横材（２）が越流水（３）の流れ方向に対して直角なので水流が乱れやすく、シート（５）を取り囲むように乱流（６）が発生して、シート（５）の下面の堤防表面を侵食することとなる。
【００１５】  図３は本発明の耐越水シートのシート（５）の上に芝（９）を張った状態である。芝（９）の根毛（８）はシート（５）を突き抜けて堤体（１）に達したり、シート（５）に絡みついて侵食防止効果を向上させたり、越流水（３）にさらされても容易に剥がれないので堤防の安全性が向上することになる。
【００１６】  図４は本発明の耐越水シートのシート（５）の上に、法面緑化用の種子入りの不織布（１０）を貼り合わせたもので、請求項２の状態を示す。
【図面の簡単な説明】
【００１７】
【図１】本発明の耐越水シートの一構成例を表す断面図である。
【図２】従来の侵食防止ネットの構成例を表す断面図である。
【図３】本発明の耐越水シートの上に芝（９）を張った構成例を表す断面図である。
【図４】本発明の耐越水シートと、法面緑化用の種子及び肥料を織り込ませた不織布（１０）を貼り合わせた構成例を表す断面図である。
【図５】本発明の耐越水シートの構造の一例となる孔あきシートを表す斜視図である。
【図６】本発明の耐越水シートを設置した堤防全体の断面図である。
【符号の説明】
【００１８】  １    堤体
２    横材
３    越流水
４    排除水
５    シート
６    乱流
７    表土
８    根毛
９    芝
１０  種子入りの不織布
１１  川裏法面
１２  洪水
１３  川表法面
１４  法尻
【図１】
2017141657.tif 000003
【図２】
2017141657.tif 000004
【図３】
2017141657.tif 000005
【図４】
2017141657.tif 000006
【図５】
2017141657.tif 000007
【図６】
2017141657.tif 000008